(57)【特許請求の範囲】
【請求項１】
バヨネットマウントを備えたレンズ装置がカメラ本体に接続可能に形成され、前記カメラ本体に貫通して配置される操作棒を前記カメラ本体に接続された前記レンズ装置に接続することにより、前記レンズ装置を前記操作棒で操作可能なテレビレンズ装置の前記レンズ装置と前記カメラ本体との間に配置される防振アダプタにおいて、
前面を構成し、前記レンズ装置に接続される前板と、後面を構成し、前記カメラ本体に接続される後板と、外周側面を構成する枠体とからなり、密閉状態に組み付けられる本体ケースと、
前記本体ケース内に収納され、前記カメラ本体に加わる振動によって生じる像ぶれを補正するように移動される可動レンズと、
前記本体ケースの前面に形成され、前記レンズ装置の前記バヨネットマウントを収納する凹部と、
前記レンズ装置を介して入射する被写体からの光を通過させるために、前記本体ケースの前面に形成された前記凹部に形成される第１の開口と、
前記レンズ装置を介して入射する被写体からの光を通過させるために、前記本体ケースの後面に形成される第２の開口と、
前記第１の開口を密閉するように取り付けられて、前記可動レンズの光軸上に配置される第１のレンズと、
前記第２の開口を密閉するように取り付けられて、前記可動レンズの光軸上に配置される第２のレンズと、
前記本体ケースの前面と後面とを貫通して形成され、前記レンズ装置に接続される前記操作棒を挿通可能な操作棒穴と、
前記操作棒を挿通可能な筒状に形成され、前記操作棒穴に取り付けられて、前記本体ケースの内部を密閉するとともに遮光する遮光部材と、
を備えたことを特徴とする防振アダプタ。
【請求項２】
前記カメラ本体から電源を供給可能に形成されるとともに、外部電源を接続して、該外部電源から電源を供給可能に形成され、
前記カメラ本体からの電源供給能力が低い場合、前記外部電源から電源を供給すると、電源の供給元を自動的に前記外部電源に設定し、前記外部電源から電源の供給がない場合には、電源の供給元を前記カメラ本体に自動的に設定する手段を備えたことを特徴とする請求項１に記載の防振アダプタ。
【発明の詳細な説明】
【０００１】
【発明の属する技術分野】
本発明は防振アダプタに係り、特にＴＶカメラが屋外のスポーツ中継や不安定な足場上で使用される際、カメラに加わった振動によって生じる像ぶれを補正する防振レンズを備えた防振アダプタに関する。
【０００２】
【従来の技術】
特開平６−１８９１８１号公報には、カメラとレンズ装置との間に着脱自在に装着される中間アダプタ（防振アダプタ）が開示されている。この防振アダプタは、内部に防振レンズに相当する可変頂角プリズム、振れ検出センサ、及び可変頂角プリズム駆動回路等が設けられ、振れ検出センサで検出された振れ情報に基づいて可変頂角プリズム駆動回路が可変頂角プリズムを移動させて光軸を偏心させることにより像ぶれを補正する。
【０００３】
一方、特開平１１−２８４９００号公報の図１２には、防振装置（防振アダプタ）の前面にレンズ装置が接続され、防振アダプタの後面にカメラが接続された使用形態が示されている。
【０００４】
【発明が解決しようとする課題】
しかしながら、特開平６−１８９１８１号公報及び特開平１１−２８４９００号公報においては、防振アダプタの具体的な構造について開示が無い。多種のレンズ装置及びカメラ機種について共通的に使用可能な着脱式防振アダプタを実現し、かつその小型化と高性能維持を図るために、構造的な工夫が要求される。
【０００５】
本発明はこのような事情に鑑みてなされたもので、小型で高性能なレンズ状態を維持できる着脱式の防振アダプタを提供することを目的とする。
【０００６】
【課題を解決するための手段】
本発明は前記目的を達成するために、バヨネットマウントを備えたレンズ装置がカメラ本体に接続可能に形成され、前記カメラ本体に貫通して配置される操作棒を前記カメラ本体に接続された前記レンズ装置に接続することにより、前記レンズ装置を前記操作棒で操作可能なテレビレンズ装置の前記レンズ装置と前記カメラ本体との間に配置される防振アダプタにおいて、前面を構成し、前記レンズ装置に接続される前板と、後面を構成し、前記カメラ本体に接続される後板と、外周側面を構成する枠体とからなり、密閉状態に組み付けられる本体ケースと、前記本体ケース内に収納され、前記カメラ本体に加わる振動によって生じる像ぶれを補正するように移動される可動レンズと、前記本体ケースの前面に形成され、前記レンズ装置の前記バヨネットマウントを収納する凹部と、前記レンズ装置を介して入射する被写体からの光を通過させるために、前記本体ケースの前面に形成された前記凹部に形成される第１の開口と、前記レンズ装置を介して入射する被写体からの光を通過させるために、前記本体ケースの後面に形成される第２の開口と、前記第１の開口を密閉するように取り付けられて、前記可動レンズの光軸上に配置される第１のレンズと、前記第２の開口を密閉するように取り付けられて、前記可動レンズの光軸上に配置される第２のレンズと、前記本体ケースの前面と後面とを貫通して形成され、前記レンズ装置に接続される前記操作棒を挿通可能な操作棒穴と、前記操作棒を挿通可能な筒状に形成され、前記操作棒穴に取り付けられて、前記本体ケースの内部を密閉するとともに遮光する遮光部材と、を備えたことを特徴としている。
【０００７】
本発明によれば、像ぶれ補正用の可動レンズは、本体ケース内に収納されており、可動レンズを挟んで光軸上の前後、すなわち、本体ケースの前面（レンズ装置の接続側）と後面（カメラの接続側）にはそれぞれ被写体光の通過用開口が形成されている。前面の開口には第１のレンズが取り付けられ、後面の開口には第２のレンズが取り付けられることにより、本体ケースの内部が密閉される。そして、この密閉された空間内に可動レンズが配置される。かかる構造により、可動レンズに塵埃などが付着せず、高性能なレンズ状態を維持できる。
【０００８】
また、第１のレンズ、可動レンズ及び第２のレンズによって防振アダプタの光学系が構成されるが、密閉用の透明ガラスなどを用いることなく、第１のレンズ及び第２のレンズによって直接本体ケースの開口を覆う構成にしたので、防振アダプタの薄型化を達成できる。
【００１０】
例えば、後板に枠部を一体的に形成して、箱型の収納部を構成する一方、前板をその蓋部として前記収納部の開放面（本体ケースの前面部分）を覆う構造とする。もちろん、前板に枠部を一体的に設けて収納部を構成し、後板をその蓋部とする構造も可能である。このような、箱型の構造によって、組立作業やメンテナンス作業が容易になる。
【００１１】
【発明の実施の形態】
以下添付図面に従って本発明に係る防振アダプタの好ましい実施の形態について詳説する。
【００１２】
図１及び図２には、本発明の実施形態に係る防振アダプタ１０が適用されたテレビカメラ装置１２が示されている。このテレビカメラ装置１２は、一軸二操作式の操作方式によってズーム操作及びフォーカス操作を行うことができる装置であり、ＥＦＰレンズ装置（以下、レンズ装置という。）１４、防振アダプタ１０、及びカメラ本体１６を主として構成されている。
【００１３】
カメラ本体１６は、三脚又はペデスタル１８の上部に設けられた雲台２０に着脱自在に取り付けられている。操作棒２２は、レンズ装置１４に対して着脱可能であり、カメラ本体１６及び防振アダプタ１０を貫通して配設される。操作棒２２は、カメラ本体１６に形成された操作棒挿通穴１６Ａに通され、操作棒２２の先端部はレンズ装置１４の不図示のレンズ駆動部に接続される。操作棒２２の着脱構造については後述する（図１２及び図１３）。
【００１４】
カメラマンは、図１に示したカメラ本体１６の上部に設置されているビューファインダ２４に映る映像を見ながら、操作棒２２のグリップ２３を把持し、操作棒２２を押し引き操作することでズーム操作を行うことができ、また、グリップ２３を回転操作し、操作棒２２を回転させることでフォーカス調整を行うことができる。
【００１５】
雲台２０から延設されたパン／チルト棒２５Ａ、２５Ｂには、ズームレートデマンド２６とフォーカスポジションデマンド２８を設置することができる。カメラマンは、ズームレートデマンド２６のサムリング２６Ａを親指で回動操作することによりズーム操作を行うことができ、フォーカスポジションデマンド２８のフォーカスノブ２８Ａを回動操作することでフォーカス操作を行うことができる。
【００１６】
ズームレートデマンド２６からはサムリング２６Ａの操作方向及び操作量に応じてズーム速度を指令するズーム速度指令信号が出力され、フォーカスポジションデマンド２８からはフォーカスノブ２８Ａの回転位置に応じてフォーカス位置を指令するフォーカス位置指令信号が出力される。これらの指令信号はケーブル２６Ｂ、２８Ｂを介してレンズ装置１４に送信される。
【００１７】
ズームレートデマンド２６やフォーカスポジションデマンド２８等のコントローラと操作棒２２とを併設した場合には、操作棒２２によるレンズ操作方式と、ズームレートデマンド２６やフォーカスポジションデマンド２８によるレンズ操作方式を切り換える図示せぬ切換手段が設けられ、該切換手段によって操作方式を選択することができる。なお、操作棒２２の動きを電気的に検出してズームやフォーカスをサーボ駆動する態様も可能であり、操作棒２２を手動操作方式及びサーボ方式の操作手段として兼用し、その役割を切換手段によって切り換えることも可能である。かかる手動／サーボ兼用の操作装置は、本出願人から提案されている（特願平１１−１３８６１６号）。
【００１８】
図３及び図４は防振アダプタ１０の外観を示す斜視図であり、図５は防振アダプタ１０の装着状態における要部断面図である。これらの図面に示すように防振アダプタ１０の本体ケース３０は、偏平な箱型に形成されている。この箱型は、前板３２、後板５４、及び外周側面５９から構成される。図３に示す本体ケース３０の前板（前面）３２には、図２に示したレンズ装置１４が接続されるとともに、この前板３２は、図３の如く四隅にねじ込まれた４本のねじ３４、３４…によって本体ケース３０の枠体３６に固定されている。
【００１９】
また、前板３２の略中央部には、レンズ装置１４側のバヨネットマウント（図５中符号１５）を逃がすための凹部（逃げ部）３８が形成されている。このように凹部３８を形成すると、テレビカメラ装置１２を組み立てた際にバヨネットマウント１５が凹部３８に収納されるので、テレビカメラ装置１２の全長を短くすることができる。符号３９は、操作棒２２が挿通される通し穴（以下、操作棒穴という。）である。
【００２０】
図３に示す前板３２の上部には、レンズ装置１４を接続するためのフック（レンズ接続部）４０が設けられている。このフック４０は、カメラ本体１６側に設けられている既存のフック（図５中符号４１）と同一形状に形成されている。
【００２１】
また、前板３２の図３上左下隅部にはコネクタ４２が設けられ、このコネクタ４２は、前板３２にレンズ装置１４が接続された際に、レンズ装置１４側のコネクタ（図１４中符号１７０として記載）に接続される。これにより、レンズ装置１４からの焦点距離情報等が防振アダプタ１０のＣＰＵ（図１９中符号２８０として記載）に提供される。このＣＰＵ２８０は、前記情報に基づいて図５に示す防振レンズ４４の移動量等を設定する。
【００２２】
図３の前板３２の下部中央には凹部４６が形成され、この凹部４６に、レンズ装置１４の後端面に突設された、ばね性を有するピン（図５中符号４８）が嵌合される。また、前板３２の下部には、図３の如く挟圧板５０が設けられている。この挟圧板５０と前板３２との間に、レンズ装置１４側の支持板（図４に示す支持板６３と同様なもの、図５中符号５１として記載）が挿入され、挟圧板５０をねじ５２、５２で締め込むことにより、挟圧板５０と前板３２との間で支持板５１が挟圧保持される（図２、図２１、及び図２２参照）。以上の如く、防振アダプタ１０の前板３２にレンズ装置１４がフック４０、ピン４８及び挟圧板５０を介して接続される。
【００２３】
一方、図４に示す本体ケース３０の後板（後面）５４は、外周側面５９を構成する枠体３６と一体に形成されており、該後板５４には図２に示したカメラ本体１６が接続される。
【００２４】
後板５４の略中央部には、バヨネットマウント５５が突設される。このバヨネットマウント５５は、ＥＮＧカメラ等のハンディカメラを接続する際に使用されるが、図２のような箱型のカメラ本体１６を接続する場合には、図４に示す後板５４の上部に設けられたフック（カメラ接続部）５６を利用して接続される。なお、ハンディカメラを使用する場合には、レンズサポータ（図２１中符号３５０として記載）が用いられ、防振アダプタ１０の後面をレンズサポータ３５０の前面に接続するとともに、レンズサポータ３５０を介して防振アダプタ１０のバヨネットマウント５５をカメラ（図２１中符号３６０）に接続する。
【００２５】
図４に示したフック５６は、レンズ装置１４側の後端部に設けられている既存のフック（図５中符号５７）と同一形状に形成されている。また、バヨネットマウント５５も同様に、レンズ装置１４のバヨネットマウント１５と同一構造に構成されている。
【００２６】
後板５４の図４上右下隅部にはコネクタ５８が設けられ、このコネクタ５８は、後板５４にカメラ本体１６が接続された際に、カメラ本体１６側のコネクタ（図１４中符号１７２として記載）に接続される。コネクタ５８と図３に示したコネクタ４２とは、本体ケース３０内に配設されたケーブル（図１４中符号１７４として記載）で接続され、レンズ装置１４とカメラ本体１６の間で各種の情報がケーブル１７４を介して伝達されるようになっている。
【００２７】
図４の後板５４の下部中央には、ばね性を有するピン６０が突設されている。
このピン６０は、カメラ本体１６の前端部に形成された凹部（図５中符号６２）に嵌合される。また、このピン６０は、レンズ装置１４の後端部に設けられた既存のピン４８と同一形状に形成されている。
【００２８】
後板５４の下部には、図４の如く支持板６３が下方に向けて突出形成されている。この支持板６３は、カメラ本体１６に設けられた挟圧部材（図２中符号１７として記載）に挟圧保持される。以上の如く、防振アダプタ１０の後板５４にカメラ本体１６がフック５６、ピン６０及び挟圧部材１７を介して接続される。
【００２９】
図３に示す枠体３６の右側面には、凹部６２が形成され、この凹部６２内に電源スイッチ６４、及び防振レンズ固定用レバー６６が凹部６２から突出しないように設けられている。電源スイッチ６４は、防振アダプタ１０の電源をＯＮ／ＯＦＦするもので、ＯＮ操作すると防振アダプタ１０の回路に給電され、振動検出センサ（図１９中符号２８４に相当）が作動する。
【００３０】
なお、カメラ本体１６から供給される電源が不足する場合には、図３に示した本体ケース３０の下部に設けられた電源用コネクタ６８に、不図示のＡＣアダプタのケーブルコネクタを接続することにより、ＡＣアダプタから防振アダプタ１０に電源が供給される。電源用コネクタ６８にはバッテリ（図１９中符号２９４として記載）を接続することが可能であり、バッテリ電源を取り込み、バッテリ２９４による駆動も可能である。
【００３１】
防振アダプタ１０において、電源供給源がユーザによって選択、又は自動選択できる機能を持たせる態様も好ましい。カメラからの電源供給能力が低い場合、別電源（外部電源）を供給すると自動的に別電源が優先となり、別電源からの供給が無い場合には、カメラの電源を取り込むように自動選択される。また、別電源のみ選択可能な切換スイッチなどを設けてもよい。更に、別電源はカメラがＯＮのときのみ供給可能となる機能を持つようにする態様がある。
【００３２】
防振アダプタ１０における防振機能のＯＮ（有効）／ＯＦＦ（無効）は、本体ケース３０の下部に設けられた図４のコントローラ用コネクタ７０に、不図示のケーブルを介して接続されたコントローラ（図１９中符号３１０として記載）によって操作することができる。カメラマンの手元（パン／チルト操作棒２５Ａ、２５Ｂの端部付近など）に設けられるコントローラ３１０には、防振機能のＯＮ／ＯＦＦ状態を表示する表示器付きのモーメンタリースイッチを取り付けることができる。操作方法の一例として、モーメンタリースイッチの押下中のみ防振機能がＯＮされ、スイッチの押下を解除すると防振機能がＯＦＦされるようにする。また、これと並設してトグルスイッチ等の切換スイッチを設け、この切換スイッチを切り換えることによって、モーメンタリースイッチの押下中のみ防振機能がＯＦＦされ、スイッチの押下を解除すると防振機能がＯＮされるように、モーメンタリースイッチの機能を切り換えるようにしてもよい。
【００３３】
このように、防振機能をＯＮ／ＯＦＦするスイッチに反転機能を設け、押しているときだけＯＮ、逆に、押しているときだけＯＦＦの何れかを選択して使用できるようにするのは、カメラマンや撮影場面によっては、防振が必要な時ＯＮする場合と、常にＯＮしておき、必要なときのみＯＦＦするという使用態様が考えられるためである。
【００３４】
図３及び図４に示したように、電源用コネクタ６８及びコントローラ用コネクタ７０は、本体ケース３０の下部に形成された断面三角形状の突出部７２、７２の外側斜面に設けられている。これにより、電源用コネクタ６８及びコントローラ用コネクタ７０は、下方で斜め外方に向けて配置されている。これに対して、コネクタ６８、７０を真下に向けて配置した場合には、コネクタ６８、７０の下方に図２の雲台２０があるので、ケーブルの着脱操作及びケーブルの引回しが困難になる。よって、コネクタ６８、７０を下方で斜め外方に向けて配置した防振アダプタ１０は、コネクタ６８、７０に対するケーブルの着脱操作及びケーブルの引回しが容易になる。
【００３５】
図３に示した防振レンズ固定用レバー６６は、本体ケース３０に内蔵された防振レンズ（図５中符号４４）を動かないように固定（ロック）する機構（図２０で詳述）に連結されており、プッシュ操作及び回動操作によってロック機構を動作させ、防振レンズ４４を固定し、又は固定を解除する。
【００３６】
図３上実線で示すレバー６６の位置が、防振レンズ４４の固定位置であり、図３上二点鎖線で示すレバー６６の位置が防振レンズ４４の固定解除（フリー）位置である。このフリー位置において、電源スイッチ６４はレバー６６で邪魔されて操作不能であるが、前記固定位置ではレバー６６が電源スイッチ６４から退避されているので、電源スイッチ６４の操作が可能である。よって、電源スッチ６４のＯＮ／ＯＦＦ操作は、前記固定位置においてのみ可能なので、電源スイッチ６４のＯＦＦ時には、必ず防振レンズ４４は固定されている。したがって、電源ＯＦＦ時における防振レンズ４４のフリー状態を防止できるので、例えば防振アダプタ１０の搬送時に生じる振動から、防振レンズ４４及び防振機構を保護することができる。防振機構の構造については後述する（図１５乃至図１８）。
【００３７】
防振レンズ４４は図５の如く、第１固定レンズ７４、可動レンズ７６、及び第２固定レンズ７８から構成されている。第１固定レンズ７４は、凹部３８に設けられたレンズ枠８０に固定され、第２固定レンズ７８はバヨネットマウント５５の内側に設けられたレンズ枠８２に固定されている。可動レンズ７６は、レンズ枠７７に保持された状態で前記防振機構に連結され、この防振機構によって光軸Ｐに直交する面内で移動され、実質的に像ブレを補正する。この可動レンズ７６が、防振レンズ固定用レバー６６によって固定／固定解除される。
【００３８】
第１固定レンズ７４を保持するレンズ枠８０は、凹部３８の形状を構成する部分と一体的に構成された部材であり、このレンズ枠８０は、ねじ８１によって前板３２に固定される。また、第２固定レンズ７８が固定されたバヨネットマウント５５は、ねじ８３によって後板５４に固定される。こうして、可動レンズ７６は、第１固定レンズ７４及び第２固定レンズ７８によって閉塞された空間に配置される。
【００３９】
防振アダプタ１０の本体ケース３０は、レンズ装置１４を介して入射する被写体からの光を通過させる光路を形成するために、前板３２と後板５４のそれぞれに開口を有し、前板３２の開口には第１固定レンズ７４が取り付けられ、後板５４の開口には第２固定レンズ７８が取り付けられている。こうして、第１固定レンズ７４及び第２固定レンズ７８によって本体ケース３０が密閉される。
【００４０】
可動レンズ７６は、この密閉された空間内に配置されるため、塵埃の付着等が発生しないという利点があり、高性能なレンズ状態を維持できる。また、仮に、第１固定レンズ７４及び第２固定レンズ７８の外側をガラス等によって更に覆う構造にするとアダプタの厚さ寸法が大きくなる。したがって、本例のように、第１固定レンズ７４及び第２固定レンズ７８を露出させる構成により、防振アダプタ１０の厚さ寸法を可能な限り薄型化できる。
【００４１】
ここで、防振レンズ４４は、焦点距離を１．２５倍拡大し、結像位置を防振アダプタ１０の厚み分後方にずらすようにしている。この焦点距離の拡大倍率（１．２５倍）は、防振アダプタ１０の厚み寸法に応じて変更される。
【００４２】
一方、図４に示す枠体３６の右側面には凹部８４が形成され、この凹部８４には、不図示のスイッチ群が配置されている。スイッチ群の詳細については後述するが（図６乃至図７）、これらのスイッチ群は、凹部８４に着脱自在に取り付けられた蓋板８６によって塞がれた開口部（図６中符号１００）の奥に配置されている。また、蓋板８６には小さめの開口部（図６中符号１１２）が形成され、この開口部１１２はゴムキャップ８８によって着脱自在に塞がれている。
【００４３】
本体ケース３０の上面には、把手９０が設けられている。この把手９０を利用して、レンズ装置１４及びカメラ本体１６に対する防振アダプタ１０の着脱が行われる。防振アダプタ１０の着脱作業の際に、作業者は把手９０をつかんで防振アダプタ１０を取り扱うことができるため、作業性が向上する。なお、把手９０の取付位置は、本体ケース３０の上面に限定されず、側面でもよい。
【００４４】
防振アダプタ１０の装着は、図５に示したように、防振アダプタ１０のフック４０にレンズ装置１４のフック５７を係合させるとともに、カメラ本体１６のフック４１に防振アダプタ１０のフック５６を係合させることにより行う。これらのフック４０、５７、４１、５６には、傾斜角度約４５°に形成されたテーパ面が形成され、このテーパ面同士を係合させることにより、防振アダプタ１０の装着が行われる。なお、バヨネットマウント５５部分は、カメラ本体１６に形成されている凹部（マウント逃げ部）９１に収納される。
【００４５】
レンズ装置１４のフック５７には、位置決めピン９２が突設されている。このピン９２が、防振アダプタ１０のフック４０の中央部に形成された溝９３に係合される。防振アダプタ１０とレンズ装置１４との装着において、アダプタ側のフック４０にレンズ側のフック５７を係合させると、レンズ装置１４側の光軸と防振アダプタ１０側の光軸とが上下方向において一致し、溝９３にピン９２を係合させると、双方の光軸が水平方向において一致する。これにより、双方の光軸が一致する。
【００４６】
一方で、防振アダプタ１０後面側のフック５６には、位置決めピン９４が突設されている。このピン９４が、図５に示すカメラ本体１６のフック４１の中央部に形成された溝９５に係合される。防振アダプタ１０とカメラ本体１６との装着において、カメラ側のフック４１にアダプタ側のフック５６を係合させると、カメラ本体１６側の光軸と防振アダプタ１０側の光軸とが上下方向において一致し、溝９５にピン９４を係合させると、双方の光軸が水平方向において一致する。これにより、双方の光軸が一致するので、レンズ装置１４、防振アダプタ１０、及びカメラ本体１６の各光軸が一致する。
【００４７】
その後、レンズ装置１４後端下部の支持板５１を防振アダプタ１０の挟圧板５０で締め付け固定するとともに、防振アダプタ１０の支持板６３をカメラ本体１６の挟圧部材１７で締め付け固定することにより、防振アダプタ１０がレンズ装置１４とカメラ本体１６の間に固定される。
【００４８】
本実施形態に係る防振アダプタ１０によれば、レンズ装置１４とカメラ本体１６とを接続するためのフック５７、４１と同様のフック４０（レンズ接続部）及びフック５６（カメラ接続部）を防振アダプタ１０の前板３２及び後板５４に設けたので、レンズ装置１４とカメラ本体１６の間に防振アダプタ１０を直接的に接続することができる。
【００４９】
また、防振アダプタ１０前面のフック４０がカメラ本体１６前面のフック４１と共通し、かつ、防振アダプタ１０後面のフック５６がレンズ装置１４後面のフック５７と共通しているので、別途専用の接続手段を付加する必要がなく、機構も簡単で、その接続作業も容易である。
【００５０】
更に、防振アダプタ１０の前板にバヨネットマウント１５の逃げ部である凹部３８を形成し、レンズ装置１４の接続時にレンズ装置１４のバヨネットマウント１５を凹部３８に収納して、レンズ装置１４の後面と防振アダプタ１０の前板３２とを密着させる構造にしたので、防振アダプタ１０の薄型化、及びテレビカメラ装置１２の小型化を達成できる。
【００５１】
図３及び図４に示したように、本体ケース３０の左右両側上部（外周側面５９の左右のコーナ部付近）には、防振機能のＯＮ／ＯＦＦ状態を表示する表示器９６、９６が設けられている。表示器９６の詳細については図８乃至図１０で説明する。
【００５２】
図６は、防振アダプタ１０の右側面部の拡大図であり、図７は図６の７−７線に沿う断面図である。これらの図面に示したように、防振アダプタ１０の外周右側面部には開口部１００が形成されており、該開口部１００の奥には、ディップスイッチ１０２、１０４及びコネクタ１０６が配置されている。符号１０８は、ディップスイッチ１０２、１０４及びコネクタ１０６その他の電子部品を載せた電子回路基板である。
【００５３】
図６中上下に並んだディップスイッチ１０２、１０４のうち、上側のディップスイッチ１０２はレンズ選択スイッチであり、下側のディップスイッチ１０４は、パン／チルト制御スイッチ及びテストモードスイッチとして機能する。レンズ選択スイッチは、取り付けるレンズの機種に応じてスイッチの設定を合わせるものである。
【００５４】
対象レンズは、５５倍、６６倍、７０倍、８０倍、８７倍など、各種倍率のレンズに適用でき、また、ハイビジョン用のテレビレンズ（ＨＤレンズ）など、様々な高倍率フィールドレンズに取り付けが可能である。
【００５５】
レンズ選択スイッチの設定に基づいて防振アダプタ１０内のＣＰＵ２８０は、レンズ装置１４から受入する焦点距離情報と防振アダプタ１０内のメモリ（図１９中符号２８６として記載）に記憶されている焦点距離情報を合わせる処理を行う。
【００５６】
パン／チルト制御スイッチは、パン方向及びチルト方向の動きを自動検出するモード、パン方向の動きのみを自動検出するモード、チルト方向の動きのみを自動検出するモードの各モードの切り換えを行い、又は垂直方向のみについて防振動作を有効とするモード、水平方向のみについて防振動作を有効とするモード、垂直及び水平の両方向について防振動作を有効とするモードのモード選択を行うためのスイッチである。必要に応じてパン／チルト制御のモードを選択することにより、パン・チルト操作時の「揺り戻し」現象（カメラマンによるパン・チルト操作を振動と検出して、これを補正する防振動作を行うことにより生じる画像揺れの現象）を最小限に抑制することができる。
【００５７】
テストモードスイッチは、防振アダプタ１０のみでレンズのある焦点距離での状態をテストできるテストモードを利用するときに使用されるスイッチである。
【００５８】
開口部１００は、ディップスイッチ１０２、１０４及びコネクタ１０６の操作面を露出させることができる大きさを有し、該開口部１００は蓋板８６で覆われる。蓋板８６は四隅を止めねじ１１０によって防振アダプタ１０に固定されており、図示せぬ工具を用いて止めねじ１１０を外すことで、蓋板８６の取り外しが可能である。
【００５９】
蓋板８６は、ディップスイッチ１０２に対応する部位に開口部１１２を有し、この開口部１１２はゴムキャップ８８によって閉塞される。開口部１１２はディップスイッチ１０２の操作面を露出させることができる大きさを有し、ゴムキャップ８８を取り外すことで、ディップスイッチ１０２の操作が可能となる。ゴムキャップ８８は、工具を用いることなく簡単に着脱することができる。なお、ゴムキャップ８８に代えて、手で簡単に開閉可能な扉やスライド窓などを適用してもよい。
【００６０】
ユーザが操作する頻度の高いディップスイッチ１０２については、ゴムキャップ８８などの着脱容易な蓋部によって開閉可能な開口部１１２から操作可能であり、操作頻度の低い若しくは保守用操作に関するスイッチ（本例では符号１０４のディップスイッチ）については、止めねじ１１０で固定される蓋板８６で覆われる開口部１００から操作可能となっている。
【００６１】
また、本例の防振アダプタ１０によれば、本体ケース３０の外周側面５９に各種操作部（６４、６６、１０２、１０４）を形成したので、アダプタ装着状態で防振アダプタ１０に関する各種の操作が可能となる。特に、外周側面５９に凹部６２、８４を設け、その凹部６２、８４に操作部を配置して、操作部が出っ張らないように構成したことにより、アダプタ装着状態においてレンズ及びカメラと一体感のあるフォルムを実現できるとともに、操作部の保護を図ることができる。
【００６２】
図８は、テレビカメラ装置１２の背面図である。カメラ本体１６の背面には、操作棒２２のグリップ２３の他、各種スイッチ１２０及びコネクタ１２２が設けられている。符号１２４はカメラの把手である。
【００６３】
同図に示すように、防振アダプタ１０の左右両側上部に設けられている表示器９６は、アーム９６Ａの先端にランプ９６Ｂが配設された構造を有し、防振機能のＯＮ／ＯＦＦ状態に応じてランプ９６Ｂが点灯／消灯する。
【００６４】
アーム９６Ａの基端部は、防振アダプタ１０の枠体３６に回動自在に支持されており、撮影時には図８のようにアーム９６Ａを起立させ、ランプ９６Ｂをビューファインダ２４の横に位置させる。このとき、表示器９６は、ビューファインダ２４の角度調整ツマミ１２６と重ならないように起立し、カメラマンがビューファインダ２４を見るときの視界にランプ９６Ｂが入るようになっている。図８中符号１２８で示した一点鎖線で囲んだ範囲は、カメラマンが通常の操作姿勢でビューファインダ２４を見ているときの視野範囲を示している。したがって、カメラマンは、ビューファインダ２４から視線を動かさなくても、ランプ９６Ｂの点灯状態を確認することができる。
【００６５】
図９は、表示器９６周辺の拡大図、図１０はその要部断面図である。これらの図面に示したように、防振アダプタ１０の外周側面には表示器９６を収納するための凹部１３０が形成され、収納時には表示器９６が凹部１３０に没入し、防振アダプタ１０の外周側面５９から突出しないようになっている。
【００６６】
表示器９６のアーム９６Ａの基端部は、軸１３２によって回動自在に支持されている。また、ランプ９６Ｂは、アーム９６Ａの先端部に回動可能に支持されており、ランプ９６Ｂをアーム９６Ａの長手方向に沿う回転軸１３４を中心に回動させることで、ランプ９６Ｂの表示面（発光面）をカメラマン側（カメラ後方側）に向けることができる。
【００６７】
ランプ９６Ｂの表示面と反対側の面（被写体側に向けられる面）は、ランプ９６Ｂの光が漏れないように遮光部材１３５で覆われている。すなわち、ランプ９６Ｂの表示面は、カメラマン側にのみ向けられ、被写体側からはランプ９６Ｂの表示を確認できないように構成されている。これは、撮影実行中の有無を示すタリーランプによる表示との混同を防止するためである。なお、タリーランプは通常赤色のランプが用いられるため、防振機能のＯＮ／ＯＦＦ状態を示す表示器９６のランプ９６Ｂには、赤色以外の点灯色（橙色、緑色など）を用いて混乱を防止することも好ましい。また、ランプ９６Ｂの点灯信号を利用してビューファインダ２４に防振機能のＯＮ／ＯＦＦ状態を示す情報を表示させてもよい。
【００６８】
図８乃至図１０に示した表示器９６の変形例として、アーム９６Ａを長手方向に伸縮自在な構成にしてもよい。また、ランプ９６Ｂの位置を任意に変更できるようにアーム９６Ａの基端部をユニバーサルジョイント等で支持する態様や、アーム９６Ａにフレキシブル材料を適用することも可能である。また、本例では防振アダプタ１０の左右両側に表示器９６を設けたが、左右の何れか一方のみに表示器９６を設けてもよい。
【００６９】
図１１は、防振アダプタ１０に形成された操作棒穴３９の構造を示す断面図である。前板３２と後板５４を貫通する操作棒穴３９には、円筒状の遮光部材（以下、遮光筒という。）１４０が取り付けられている。遮光筒１４０の一端（同図において右端）にはフランジ部１４１が形成され、該フランジ部１４１には、止めねじ１４３の通し穴１４４が複数箇所（例えば、１２０度の等角度分配による三箇所）設けられている。
【００７０】
後板５４の内側には遮光筒１４０のフランジ部１４１を固定するための取付部１４６が形成されており、取付部１４６には、ねじ穴１４７と位置決め用の段差溝１４８が設けられている。遮光筒１４０の後端（図１１上で右端）を段差溝１４８に嵌合し、通し穴１４４とねじ穴１４７の位置を合わせてから座金１５０を介して止めねじ１４３をねじ穴１４７に螺挿することにより遮光筒１４０が後板５４に固定される。
【００７１】
フランジ部１４１と反対側の遮光筒１４０の先端部（図１１上で左端）は前板３２に連結される。遮光筒１４０と前板３２との連結部分にはシール部材１５２が設けられ、該シール部材１５２によって防振アダプタ１０の内部は密閉される。操作棒穴３９を遮光筒１４０とシール部材１５２とによって密閉し、かつ遮光構造としたので、防振アダプタ１０の内部に塵埃等が進入することはなく、また不要な光も入射しない。
【００７２】
図１２は、操作棒２２の着脱機構を示す斜視図であり、図１３はその要部断面図である。これらの図面に示したように、操作棒２２の先端に雄ねじ部１５６が形成されており、レンズ装置１４側の操作棒連結軸（以下、連結軸という。）１５８の先端には雌ねじ部１６０が形成されている。また、連結軸１５８の先端部分には、一対の爪１６２を有する爪部材１６３が設けられ、操作棒２２側には爪１６２が係合する溝１６４が形成されている。
【００７３】
爪部材１６３の周面には長穴１６５が形成されており、該長穴１６５は連結軸１５８の軸方向に長い形状を有している。連結軸１５８には径方向に突出するピン１６７が固設されている。ピン１６７は長穴１６５に遊挿されており、爪部材１６３は長穴１６５の範囲で連結軸１５８の軸方向に移動可能であるとともに、連結軸１５８を中心とする回転方向の動きは規制されている。
【００７４】
爪部材１６３は、バネ１６８によって図１２の右方向に付勢されている。なお、符号１６９は、バネ１６８の基端を支持するばね押さえリングであり、該リング１６９は連結軸１５８に固設されている。操作棒２２の連結時には爪部材１６３を図１２上で左方向に退避させて、操作棒２２の雄ねじ部１５６を連結軸１５８の雌ねじ部１６０に螺挿した後、爪部材１６３の退避を解除して爪１６２を溝１６４に係合させる。こうして、操作棒２２が連結軸１５８に連結される。このような連結作業は、レンズ装置１４の側面に形成されている図示せぬ凹部に連結軸１５８の先端部分を露出させて行う。なお、操作棒２２と取り外す時は、連結時と逆の手順により連結を解除する。
【００７５】
図１４は、レンズ装置１４、防振アダプタ１０及びカメラ本体１６の間で情報の受け渡しを行うインターフェース部分の拡大図である。防振アダプタ１０の前面側コネクタ４２には、レンズ装置１４のコネクタ１７０が接続され、防振アダプタ１０の後面側コネクタ５８にはカメラ本体１６のコネクタ１７２が接続される。
【００７６】
防振アダプタ１０のコネクタ４２、５８同士はケーブル１７４によって連結されており、レンズ装置１４からの情報は防振アダプタ１０内を通してカメラ本体１６へ伝達される。また、各コネクタ４２、５８の一部のピンはケーブル１７６を介して防振アダプタ１０内の電子回路基板１７８に接続されている。この電子回路基板１７６は、防振アダプタ１０の制御回路（ＣＰＵ２８０）等が搭載されたコントロール基板であり、ＣＰＵ２８０は、レンズ装置１４又はカメラ本体１６から必要な情報（例えば、レンズの焦点距離情報やエクステンダー情報など）を取り込んで可動レンズ７６の動作制御等に利用する。
【００７７】
このように、情報の伝達経路を防振アダプタ１０内部に形成したことにより、情報伝達用のケーブルを防振アダプタ１０の外側に取り回す必要が無く、作業性が向上する。
【００７８】
次に、防振アダプタ１０に適用される防振機構の例について説明する。図１５は、可動レンズ７６の支持構造を示した正面図である。可動レンズ７６は、リニアモータ２４４、２４６によって撮影光軸Ｐと直交する面内で像ぶれを補正する方向に移動される。可動レンズ７６は、４本のアーム２４８、２４８、２５０、２５０からなる平行リンク機構を介して後板５４内側に移動自在に支持されている。
【００７９】
リニアモータ２４４は、可動レンズ７６を図１５において左右方向に移動させるもので、モータ本体２４４Ａ、及びロッド２４４Ｂから構成される。モータ本体２４４Ａは、後板５４に固定され、ロッド２４４Ｂの先端はレンズ枠７７の長穴２５２にローラ２５４を介して係合されている。長穴２５２は同図においてレンズ枠７７の左側部に上下方向に形成されており、長穴２５２とローラ２５４とは相対的に図１５の上下方向に移動自在に係合されている。
【００８０】
モータ本体２４４Ａの駆動力によりロッド２４４Ｂが伸縮動作すると、図１６に示すように可動レンズ７６はロッド２４４Ｂに押されて、又はロッド２４４Ｂに引かれて図１６上で左右方向に移動する。また、図１５上でレンズ枠７７に上下方向の力が加わると、ローラ２５４が長穴２５２にガイドされて可動レンズ７６が図１５において上下方向に移動する。
【００８１】
リニアモータ２４４のロッド２４４Ｂには、連結枠２５６が固着されている。
この連結枠２５６は、図１５上で上下方向に配設されており、中央部にロッド２４４Ｂが固着され、上下端部がそれぞれリニアガイド２５８、２５８に摺動自在に支持されている。リニアガイド２５８、２５８は、ロッド２４４Ｂと平行に設けられており、ロッド２４４Ｂが伸縮されると、連結枠２５６はその姿勢を保持したまま左右方向に平行移動する。
【００８２】
連結枠２５６には、位置センサ２６０の検出用接触針２６０Ｂの先端が押圧当接されている。位置センサ２６０は、検出用接触針２６０Ｂがロッド２４４Ｂと平行になる位置に、そのセンサ本体２６０Ａが後板５４に固定されており、ロッド２４４Ｂの伸縮動作で平行移動する連結枠２５６の移動量を検知する。
【００８３】
本実施の形態の位置センサ２６０は、検出用接触針２６０Ｂをレンズ枠体７７の周面に直接当接させるのではなく、可動レンズ７６の移動量を間接的に検知することができる連結枠２５６に当接させている。連結枠２５６は、前述したようにロッド２４４Ｂの伸縮量に関係なく姿勢を保持したまま平行移動するので、その移動中に検出用接触針２６０Ｂが連結枠２５６からズレたり、滑ったりすることはない。
【００８４】
符号２６２Ａは、スピードジェネレータ２６２を構成するボビンであり、符号２６２Ｂは、スピードジェネレータ２６２を構成するコアである。このコア２６２Ｂが連結枠２５６に固着されている。
【００８５】
一方、リニアモータ２４６は、可動レンズ７６を図１５において上下方向に移動させるもので、モータ本体２４６Ａ及びロッド２４６Ｂから構成される。モータ本体２４６Ａは、後板５４に固定され、ロッド２４６Ｂの先端はレンズ枠７７の長穴２６４にローラ２６６を介して係合されている。長穴２６４は図１５においてレンズ枠７７の下部に左右方向に形成されており、長穴２６４とローラ２６６とは相対的に図１５の左右方向に移動自在に係合されている。
【００８６】
モータ本体２４６Ａの駆動力によりロッド２４６Ｂが伸縮動作すると、図１７に示すように可動レンズ７６はロッド２４６Ｂに押されて、又はロッド４６Ｂに引かれて図１７の上下方向に移動する。また、図１５上でレンズ枠体７７に左右方向の力が加わると、ローラ２６６が長穴２６４にガイドされて可動レンズ７６が図１５の左右方向に移動する。
【００８７】
リニアモータ２４６のロッド２４６Ｂには、連結枠２６８が固着される。連結枠２６８は、図１５において左右方向に配設されており、中央部にロッド２４６Ｂが固着され、左右端部がそれぞれリニアガイド２７０、２７０に摺動自在に支持されている。リニアガイド２７０、２７０は、ロッド２４６Ｂと平行に設けられており、ロッド２４６Ｂが伸縮されると、連結枠２６８はその姿勢を保持したまま上下に平行移動する。
【００８８】
連結枠２６８には、位置センサ２７２の検出用接触針２７２Ｂの先端が押圧当接されている。位置センサ２７２は、検出用接触針２７２Ｂがロッド２４６Ｂと平行になる位置に、センサ本体２７２Ａが後板５４に固定され、ロッド２４６Ｂの伸縮動作で平行移動する連結枠２６８の移動量を検知する。
【００８９】
この位置センサ２７２も位置センサ２６０と同様に、検出用接触針２７２Ｂをレンズ枠７７の周面に直接当接させるのではなく、可動レンズ７６の移動量を間接的に検知することができる連結枠２６８に当接させている。連結枠２６８は、ロッド２４６Ｂの伸縮量に関係なく姿勢を保持したまま平行移動するので、その移動中に検出用接触針２６０Ｂが連結枠２６８からズレたり、滑ったりすることはない。
【００９０】
符号２７４Ａは、スピードジェネレータ２７４を構成するボビンであり、符号２７４Ｂはスピードジェネレータ２７４を構成するコアである。このコア２７４Ｂが連結枠２６８に固着されている。
【００９１】
なお、防振アダプタ１０の内部構造は図１５乃至図１７に示した形態に限定するものではなく、可動レンズ７６をアクチュエータ等の駆動手段で適宜移動させる具体的な構造は、様々な形態が可能である。
【００９２】
図１８は、可動レンズ７６の駆動制御系を示すブロック図である。同図に示す角速度センサ２７６、２７８は防振アダプタ１０の内部（後板５４の内側）に配設されている。一方の角速度センサ２７６は、テレビカメラ装置１２に伝達された振動のうち左右方向成分の振動を検知するもので、この検知された情報はＣＰＵ２８０に提供される。
【００９３】
ＣＰＵ２８０は、角速度センサ２７６から受入した情報に基づいて可動レンズ７６に与えるべき左右方向の補正移動量を演算する。この左右方向の補正移動量を示す信号は、アンプ２８２で増幅されたのち、リニアモータ２４４（図１５参照）に出力される。リニアモータ２４４は、ＣＰＵ２８０からの指令信号に応じた量だけロッド２４４Ｂを伸長又は収縮させるように作動し、可動レンズ７６を像ぶれ補正位置に移動させる。これにより、左右方向の振動成分が可動レンズ７６の移動で相殺されて左右方向の像ぶれが抑制される。
【００９４】
可動レンズ７６の左右方向の移動時において、位置センサ２６０は、連結枠５６の移動位置を検出している。位置センサ２６０で検出した位置信号と、ＣＰＵ２８０から出力されている補正移動量を示す信号とが比較され、リニアモータ２４４は、補正移動量に対応する位置に可動レンズ７６を位置させるようにフィードバック制御されている。
【００９５】
同様に、他方の角速度センサ２７８は、テレビカメラ装置１２に伝達された振動のうち上下方向成分の振動を検知するもので、検知された情報はＣＰＵ２８０に提供される。ＣＰＵ２８０は、角速度センサ２７８から受入した情報に基づいて可動レンズ７６に与えるべき上下方向の補正移動量を演算し、この上下方向の補正移動量を示す信号をアンプ２８２を介してリニアモータ２４６（図１５参照）に出力する。リニアモータ２４６は、ＣＰＵ２８０からの指令信号に応じた量だけロッド２４６Ｂを伸長又は収縮させるように作動し、可動レンズ７６を像ぶれ補正位置に移動させる。これにより、上下方向の振動成分が可動レンズ７６の移動で相殺されて上下方向の像ぶれが抑制される。
【００９６】
可動レンズ２７６の上下方向の移動時において、位置センサ２７２は、連結枠６８の移動位置を検出している。この検出した位置信号と、ＣＰＵ２８０から出力されている補正移動量を示す信号とが比較され、リニアモータ２４６は、補正移動量に対応する位置に可動レンズ２７６を位置させるようにフィードバック制御されている。
【００９７】
図１９は、防振アダプタ１０の全体構成を示すブロック図である。防振アダプタ１０は主として、振れ検出センサ２８４、レンズ情報メモリ２８６、駆動回路２８８、供給電源判断回路２９０、ＣＰＵ２８０、レンズ情報設定スイッチ２９２等から構成される。振れ検出センサ２８４は、図１８で述べた角速度センサ２７６、２７８に相当するものである。駆動回路２８８は、可動レンズ７６を駆動するための回路ブロックであり、図１８で述べたアンプ２８２及びリニアモータ２４４、２４６等を含む。レンズ情報設定スイッチ２９２は、図６で説明したディップスイッチ１０２に相当する。
【００９８】
防振アダプタ１０の電源は、バッテリ２９４等の外部電源若しくはカメラ本体１６のカメラ電源端子２９５から供給可能である。供給電源判断回路２９０によって供給電源を判別し、防振アダプタ１０内部の電源端子２９６への電力の供給元をバッテリ２９４又はカメラ電源端子２９５の何れかに自動的に切り替えるようになっている。
【００９９】
レンズ装置１４は、ズーム焦点距離情報出力手段２９８、エクステンダー情報出力手段３００及びレンズ情報提供手段３０２を有している。レンズ装置１４のズーム位置（現在設定されている焦点距離）は、図示せぬポテンショメータ等の検出センサによって常時検出され、その焦点距離情報がズーム焦点距離情報出力手段２９８から防振アダプタ１０のＣＰＵ２８０に通知される。また、レンズ装置１４のエクステンダーの状態（エクステンダーの使用の有無やエクステンダー倍率）を示す情報（エクステンダー情報）がエクステンダー情報出力手段３００からＣＰＵ２８０に通知される。
【０１００】
レンズ情報提供手段３０２は、当該レンズ装置１４の機種情報や光学性能諸元データ（レンズ倍率を含むレンズ固有情報）などを防振アダプタ１０及びカメラ本体１６側に提供する手段であり、例えば、レンズ固有情報が格納されたＲＯＭが用いられる。レンズ装置１４に防振アダプタ１０が接続されると、レンズ情報提供手段３０２からレンズ固有情報が防振アダプタ１０のＣＰＵ２８０に伝達され、その情報はレンズ情報メモリ２８６に記憶される。ＣＰＵ２８０は、必要に応じてレンズ情報メモリ２８６からデータを読み出して可動レンズ７６の制御に関する演算を行う。
【０１０１】
また、レンズ情報メモリ２８６には複数のレンズ機種に対応したデータが予め格納されており、ユーザがレンズ情報設定スイッチ２９２を操作して使用するレンズ装置１４を指定することにより、ＣＰＵ２８０は該当するレンズ装置１４の制御に必要なデータをレンズ情報メモリ２８６から読み出すことができる。
【０１０２】
防振アダプタ１０には、コントローラ（遠隔操作部）３１０が接続される。コントローラ３１０は、防振機能のＯＮ／ＯＦＦを選択するための防振ＯＮ／ＯＦＦスイッチ３１２と、防振機能の感度を調節する感度設定手段３１４と、防振機能のＯＮ／ＯＦＦ状態を表示する表示手段３１６と、防振ＯＮ／ＯＦＦスイッチ３１０の機能を反転させるスイッチ反転手段３１８とを有している。
【０１０３】
防振ＯＮ／ＯＦＦスイッチ３１２によって防振機能をオンすると、コントローラ３１０の表示手段３１６及び防振アダプタ１０の表示器９６において防振機能がＯＮ状態であることを示す表示が行われる。
【０１０４】
図２０は、防振レンズ４４のロック機構の構造例を示す断面図である。可動レンズ７６をロックするための機構は、主として、レンズ枠７７を押さえるロック環３３０と、ロック環３３０をレンズ枠７７に接触させる方向（図２０上で左方向）に付勢する圧縮バネ３３２と、ロック環３３０をバネ力に抗して退避方向（図２０上で右方向）に移動させるテーパ部材３３４と、レバー６６の操作力をテーパ部材３３４に伝達する軸部３３６とから構成される。
【０１０５】
レンズ枠７７にはテーパ面７７Ａ（例えば、傾斜角度４５°）が形成されており、ロック環３３０には、レンズ枠７７のテーパ面７７Ａと傾斜角度が略一致するテーパ面３３１が形成されている。レンズ枠７７のテーパ面７７Ａにロック環３３０のテーパ面３３１が圧縮バネ３３２の作用によって圧接されることにより、可動レンズ７６が光軸原点（設計上の原点位置）でロックされる。
【０１０６】
軸部３３６は、滑りクラッチ３３８を介して第１軸部３４０と第２軸部３４２とが連結された構造を有し、図２０において上側の第１軸部３４０の上端にレバー６６が固設され、第２軸部３４２の下端にテーパ部材３３４が固設されている。第２軸部３４２は、バネ３４４によって図２０の上方に付勢されている。符号３４６は、バネ３４４の基端を支持するバネ押さえ部材であり、後板５４（図２０中不図示）に固設されている。
【０１０７】
レバー６６は、軸方向の押し込み操作と、軸中心の回動操作が可能である。レバー６６を押し込み操作するとテーパ部材３３４が図２０上で下方に移動する。ロック環３３０は、テーパ部材３３４のテーパ面３３５と傾斜角度が略一致するテーパ面３３８（例えば、傾斜角度４５°）を有している。レバー６６が軸方向（図２０の上下方向）に押し込み操作され、その操作力によってテーパ部材３３４が図２０において下方に移動するとテーパ面３３５がロック環３３０のテーパ面３３８を押し、ロック環３３０は圧縮バネ３３２のバネ力に抗して図２０の右方向に移動する。
【０１０８】
こうして、ロック環３３０がレンズ枠７７から離れ、可動レンズ７６は移動可能な状態（ロック解除状態）になる。このロック解除状態でレバー６６を回動操作して「ロック解除位置」に回すと、第１軸部３４０が図示せぬ係止機構によってロックされ、軸部６３の軸方向の動きが規制（固定）され、ロック解除状態が維持される。
【０１０９】
レバー６６を「ロック位置」に回すと、前記係止機構の係止が外れ、バネ３４４の力でテーパ部材３３４が図２０において上方に押し戻される。このとき、ロック環３３０は、圧縮バネ３３２の付勢力によって図２０の左方向に移動し、可動レンズ７６をロックする。
【０１１０】
本例の防振アダプタ１０では、本体ケース３０を構成する後板５４側に、図１５で説明した防振機構及び図２０で説明したロック機構を取り付けたので、前板３２を取り外すことで防振機構のメンテナンス作業が可能である。
【０１１１】
上記した実施の形態では、防振アダプタ１０をレンズ装置１４とカメラ本体１６の間に直接的に接続したが、使用するカメラの機種によっては、図２１に示すようにレンズサポータ３５０が用いられる。
【０１１２】
この場合、レンズ装置１４と防振アダプタ１０との連結構造は図３乃至図５で説明した通りであり、防振アダプタ１０の後面はレンズサポータ３５０のマウント枠３５２に連結される。マウント枠３５２の詳細については図示しないが、マウント枠３５２の図２１上で左側には、図５で説明したカメラ本体１６の前面と同様の接続手段（フック４１、凹部６２と同様のもの）及び図１４で説明したコネクタ１７２と同様のコネクタが設けられている。
【０１１３】
カメラ（この場合、ＥＮＧカメラ）３６０は、レンズサポータ３５０のマウント枠３５２の後方（図２１においてマウント枠３５２の右側）に配置され、マウント枠３５２を挟んで防振アダプタ１０のレンズマウント５５がカメラ３５０に接続される。同図中符号３５４は、カメラ３６０の高さを調節するための高さ調節ツマミである。
【０１１４】
また、レンズサポータ３５０は、防振アダプタ１０の支持板６３を固定する挟圧部材３５６（図１で説明した挟圧板１７と同様のもの）を有し、図２２に示したように、支持板６３をレンズサポータ３５０の前側起立面３５７と挟圧部材３５６との間に挟みこみ、締め付けねじ３５８を締め込むことにより、支持板６３が挟圧保持される。
【０１１５】
上述した通り、本発明を適用することにより、ＨＤレンズにも対応した高画質を維持できる光学シフト式の防振アダプタを実現でき、スポーツ中継時の風や足場の揺れによる画像ぶれを低減することができる。
【０１１６】
【発明の効果】
以上説明したように本発明に係る防振アダプタによれば、可動レンズが収納される本体ケースの前面及び後面に被写体光通過用の開口を形成し、これら前後の各開口に第１のレンズ及び第２のレンズを取り付けて本体ケース内部を密閉構造にしたので、可動レンズに対する塵埃の付着を防止でき、高性能のレンズ性能を維持することができる。また、密閉のための透明ガラス等を省略でき、防振アダプタの薄型化を達成できる。
【図面の簡単な説明】
【図１】実施の形態の防振アダプタが適用されたテレビカメラ装置の斜視図
【図２】実施の形態の防振アダプタが適用されたテレビカメラ装置の側面図
【図３】実施の形態の防振アダプタを前板から見た斜視図
【図４】実施の形態の防振アダプタを後板から見た斜視図
【図５】実施の形態の防振アダプタの断面図
【図６】本例の防振アダプタの右側面部についての拡大図
【図７】図６の７−７線に沿う断面図
【図８】テレビカメラ装置を後方（カメラマン側）から見た図
【図９】本例のテレビカメラ装置の要部拡大図
【図１０】防振アダプタに設けられている表示器の構造を示す図
【図１１】操作棒が挿入される操作棒穴の構造を示す断面図
【図１２】操作棒の着脱構造を示す斜視図
【図１３】操作棒の着脱構造を示す断面図
【図１４】レンズ装置、防振アダプタ及びカメラ本体の間で情報の受け渡しを行うインターフェース部分の拡大図
【図１５】防振アダプタに内蔵された可動レンズの支持構造を示した正面図
【図１６】可動レンズが左右方向に移動する時の動作を示す説明図
【図１７】可動レンズが上下方向に移動する時の動作を示す説明図
【図１８】図１５に示した防振機構の制御系を示すブロック図
【図１９】防振アダプタの全体構成を示すブロック図
【図２０】可動レンズのロック機構を示す断面図
【図２１】レンズサポータを用いてカメラと防振アダプタを連結する態様を示す側面図
【図２２】防振アダプタの下部の支持板をレンズサポータに固定する構造を示す斜視図
【符号の説明】
１０…防振アダプタ、１２…テレビカメラ装置、１４…レンズ装置、１６…カメラ本体、２２…操作棒、２４…ビューファインダ、３０…本体ケース、３２…前板、３６…枠体、３９…操作棒穴、４０…フック、４４…防振レンズ、５４…後板、５５…バヨネットマウント、５６…フック、５９…外周側面、７４…第１固定レンズ、７６…可動レンズ、７８…第２固定レンズ、３５０…レンズサポータ
【図１】
0004650594.tif 000002
【図２】
0004650594.tif 000003
【図３】
0004650594.tif 000004
【図４】
0004650594.tif 000005
【図５】
0004650594.tif 000006
【図６】
0004650594.tif 000007
【図７】
0004650594.tif 000008
【図８】
0004650594.tif 000009
【図９】
0004650594.tif 000010
【図１０】
0004650594.tif 000011
【図１１】
0004650594.tif 000012
【図１２】
0004650594.tif 000013
【図１３】
0004650594.tif 000014
【図１４】
0004650594.tif 000015
【図１５】
0004650594.tif 000016
【図１６】
0004650594.tif 000017
【図１７】
0004650594.tif 000018
【図１８】
0004650594.tif 000019
【図１９】
0004650594.tif 000020
【図２０】
0004650594.tif 000021
【図２１】
0004650594.tif 000022
【図２２】
0004650594.tif 000023